(57)【要約】【課題】対象物に対して粘着剤によって装着することができるＩＣタグ付インレット及びそのＩＣタグ付インレットのＩＣタグのメモリ内に書き込んだ印字用データに紐付けされた所定の電子データをＩＣタグ故障時のＩＣタグ内データのバックアップ用、あるいはそのＩＣタグシステム運用時にＩＣダグに格納されている電子データの全部又は一部を目視にて確認できるように可視情報用として印字可能な被印字領域を備えるようにした。【解決手段】熱レーザー印字適性のある用紙又は合成樹脂層フィルムからなるインレット本体１の裏面に、ＩＣチップ２と該ＩＣチップを動作させるアンテナ層３とからなる印字用データを格納するＩＣタグを配置したＩＣタグ付きインレットであって、ＩＣタグメモリ内の印字用データ又はそのデータに紐付けされた電子データの全部又は一部をレーザー印字可能な被印字領域６を備える。【選択図】図１
2012113402.tif 000002
【特許請求の範囲】
【請求項１】
熱レーザー印字適性のある合成樹脂層を表面に有するフィルムからなるインレット本体の裏面に、ＩＣチップと該ＩＣチップを動作させるアンテナ層とからなる印字用データを格納するＩＣタグを配置したＩＣタグ付きインレットであって、前記インレット本体に、ＩＣタグのメモリ内に格納されている印字用データ又はそのデータに紐付けされた電子データの全部又は一部を、該ＩＣタグ格納データのバックアップ用データ又はＩＣタグ格納データの確認用可視データとしてレーザー印字可能な被印字領域を備えることを特徴とするＩＣタグ付インレット。
【請求項２】
前記インレット本体が、熱レーザー印字適性のある前記合成樹脂層による単層構成、又は熱レーザー印字適性のある前記合成樹脂層と基材層との積層構成であることを特徴とする請求項１記載のＩＣタグ付インレット。
【請求項３】
前記インレット本体のＩＣタグを配置した裏面側に、粘着剤層を介して剥離シートを積層したことを特徴とする請求項１又は請求項２記載のＩＣタグ付インレット。
【請求項４】
前記インレット本体は、前記ＩＣタグを配置した裏面側に、前記粘着剤層として、第１粘着剤層と補強用基材層と第２粘着剤層とをこの順に備え、前記第２粘着剤層を介して剥離シートを積層したことを特徴とする請求項１又は請求項２記載のＩＣタグ付インレット。
【請求項５】
請求項１乃至４のいずれか１項記載のＩＣタグ付インレットが、書籍本体の表紙、裏表紙、背部、見返し頁等の一部領域に、粘着剤層を介して装着されていることを特徴とするＩＣタグ付書籍。
【発明の詳細な説明】
【技術分野】
【０００１】
本発明は、対象物に対して粘着剤によって装着することができるＩＣタグ付インレットにおいて、ＩＣタグのメモリ内の所定の電子データを、目視にて確認できるように可視情報として印字出力可能な印字用領域を備えたＩＣタグ付インレット及びそれを使用したＩＣタグ付書籍に関する。
【背景技術】
【０００２】
従来より、電子データを目視にて確認可能な可視情報として熱レーザー光により印字するマーキングシートとして、特許文献１があり、光透過性シートの裏面にエネルギー吸収剤（感熱発色材）を分散した接着剤層（粘着剤層）を備え、前記光透過性シート側からレーザー光線を照射して印字するラベル、枚葉シート等のレーザーマーキング用シートがある。
【０００３】
また特許文献２として、電子データを目視にて確認可能な可視情報を、熱レーザー光により受像層等に印字することができるＩＣチップ付きマーキングシートがあり、また特許文献３として、リライト可能なサーマル層（感熱発色層）を有し、熱レーザー光により、そのマーキングシートのサーマル層に可視情報を印字することができるＩＣタグ付きリライト型レーザーマーキング用シートがある。
【０００４】
このようなＩＣタグ（チップ）付きの個々のインレットやラベル等のレーザーマーキング用シートの表面に、そのＩＣタグ内に収容されている電子データに基づいて可視情報を印字するＩＣタグ印字システムにおいて、それら個々のインレットやラベル等に備える各々ＩＣタグの一つ一つに固有のデータを格納する際に、ＩＣタグ故障時のＩＣタグ内データのバックアップ用として、あるいはそのシステム運用時にＩＣダグに格納されているデータを目視にて確認するために、ＩＣタグ内のデータの全て、あるいは一部の固有データを、そのＩＣタグの付いたインレットやラベル等のレーザーマーキング用シート表面に、レーザー光を用いて印字する必要がある。
【０００５】
また、例えばＩＣタグを生産物や製品等の対象物へ装着する場合は、コストや生産能力の点から粘着剤を採用する場合が多いが、この場合、各ＩＣタグへの印字方法として、そのＩＣタグに印字可能な被印字層（例えば用紙等のマーキング用シート）を設けてＩＣタグ付きマーキング用シート（インレット、ラベル等）を積層構成し、そのシート表面に熱転写インクリボン等を使用して印字するものである。
【０００６】
例えば特許文献２のように、プリンタによるＩＣタグへの印字が可能なように、そのＩＣタグに用紙面（ラベル）等の被印字面を有するようにしたことにより、ＩＣタグへの印字を実現している。
【０００７】
しかしながら本来ＩＣタグの機能としては、ＩＣチップとアンテナで構成されたＩＣタグ本体を積層保持したインレット（ＩＣタグと同程度の面積のシート）で十分であるが、ＩＣタグに対して印字するためには、マーキング用シートとして印字表現が可能な、ＩＣタグの占有面積よりも大きな面積のインレットやラベル等のシートが必要であり、印字可能なＩＣタグを製造する製造コストを上げる要因となっていた。
【０００８】
また、特許文献３のように、レーザー光による印字方法においても、リライト（書き換え）可能なサーマル印字のためのリライトサーマル層を設ける必要がある場合には、ＩＣタグ付きマーキング用シートにリライトサーマル層の積層構成が、ＩＣタグのコストを上
げる要因となっており、特許文献１のように、レーザー光による発色専用のエネルギー吸収剤（感熱発色材）を分散した接着剤を使用することも、ＩＣタグのコストを上げる要因となっている。
【先行技術文献】
【特許文献】
【０００９】
【特許文献１】特開２００８−１４４０８２号公報
【特許文献２】特開２００９−２２３８４７号公報
【特許文献３】特開２００８−１４６０３０号公報
【発明の概要】
【発明が解決しようとする課題】
【００１０】
本発明は、対象物に対して粘着剤によって装着することができるＩＣタグ付インレット及びそのＩＣタグ付インレットを使用した書籍において、そのＩＣタグのメモリ内に書き込んだデータに紐付けされた所定の電子データを、ＩＣタグ故障時のＩＣタグ内データのバックアップ用として、あるいはそのＩＣタグシステム運用時にＩＣダグに格納されている電子データの全部又は一部を目視にて確認できるように、可視情報として印字可能な被印字領域を備えるようにしたものである。
【課題を解決するための手段】
【００１１】
上記課題を解決する手段として、本発明の請求項１に係る発明は、熱レーザー印字適性のある合成樹脂層を表面に有するフィルムからなるインレット本体の裏面に、ＩＣチップと該ＩＣチップを動作させるアンテナ層とからなる印字用データを格納するＩＣタグを配置したＩＣタグ付きインレットであって、前記インレット本体に、ＩＣタグのメモリ内に格納されている印字用データ又はそのデータに紐付けされた電子データの全部又は一部を、該ＩＣタグ格納データのバックアップ用データ又はＩＣタグ格納データの確認用可視データとしてレーザー印字可能な被印字領域を備えることを特徴とするＩＣタグ付インレットである。
【００１２】
本発明の請求項２に係る発明は、上記請求項１に係る印字用データを格納するＩＣタグ付インレットにおいて、前記インレット本体が、熱レーザー印字適性のある前記合成樹脂層による単層構成、又は熱レーザー印字適性のある前記合成樹脂層と基材層との積層構成であることを特徴とするＩＣタグ付インレットである。
【００１３】
本発明の請求項３に係る発明は、上記請求項１又は２に係る印字用データを格納するＩＣタグ付インレットにおいて、前記インレット本体のＩＣタグを配置した裏面側に、粘着剤層を介して剥離シートを積層したことを特徴とするＩＣタグ付インレットである。
【００１４】
本発明の請求項４に係る発明は、上記請求項１又は２に係る印字用データを格納するＩＣタグ付インレットにおいて、前記インレット本体は、前記ＩＣタグを配置した裏面に第１粘着剤層と補強用基材層と第２粘着剤層とをこの順に備え、前記第２粘着剤層を介して剥離シートを積層したことを特徴とするＩＣタグ付インレットである。
【００１５】
本発明の請求項５に係る発明は、上記請求項１乃至４のいずれか１項に係る印字用データを格納するＩＣタグ付インレットが、書籍本体の表紙、裏表紙、背部、見返し頁等の一部領域に粘着剤層を介して装着されていることを特徴とするＩＣタグ付書籍である。
【発明の効果】
【００１６】
本発明のＩＣタグ付インレットは、書籍に対してインレットを粘着剤によって装着することができると共に、そのインレット本体に備える合成樹脂層は、熱レーザー（ビーム光
）によって印字可能であるため、インレット本体に付帯するＩＣタグのメモリ内に書き込んだ電子データや、そのデータに紐付けされた所定の電子データを、ＩＣタグ故障時に、そのＩＣタグ内データのバックアップ用として、その電子データの全部又は一部を、前記インレットの被印字領域内に可視データとして印字出力することができる。
【００１７】
ＩＣタグ付インレットを装着した個々の書籍（又は台紙を介して装着した書籍）の固有情報（書籍タイトル、著者等）や、その書籍に関する情報（価格、書籍掲載文章、その掲載内容説明等）を可視情報として印字出力が可能となる。
【００１８】
また、そのＩＣタグ付きインレットを用いたＩＣタグシステム運用時においては、ＩＣダグに格納されている前記電子データの全部又は一部を、インレット本体の被印字領域内に可視情報として印字出力することができるため、被印字領域内に印字出力された可視データをバックアップ用データとして保存したり、目視にて確認することができ、ＩＣタグシステムのトラブル時におけるシステム運用の再開や立ち上げに有効な効果を発揮できるものである。
【図面の簡単な説明】
【００１９】
【図１】（ａ）は本発明のＩＣタグ付インレットの一実施例を示す積層側断面図、（ｂ）はその平面図。
【図２】（ａ）〜（ｄ）は本発明のＩＣタグ付インレットの各種の積層側断面図。
【図３】（ａ）は本発明のＩＣタグ付インレットのＩＣタグ格納データを可視データとしてレーザー印字するための印字領域を説明する平面図、（ｂ）はその印字領域に可視データをレーザー印字した状態を示す平面図。
【図４】本発明のＩＣタグ付インレットのＩＣタグに格納された電子データの情報内容の一例を説明する情報分類表。
【図５】本発明のＩＣタグ付インレットを装着した書籍の一実施例を説明する平面図。
【図６】従来のＩＣタグ付インレットと、それを装着した書籍を説明する平面図。
【発明を実施するための形態】
【００２０】
本発明のＩＣタグ付インレットを、その実施の形態に沿って以下に詳細に説明すれば、図１（ａ）は、本発明のＩＣタグ付インレットの一実施例を示す積層側断面図、（ｂ）はその平面図であり、熱レーザー（ビーム光）による印字適性のある合成樹脂層を表面に有するインレット本体１と、該インレット本体１の裏面に、ＩＣチップ２と該ＩＣチップ２に対する動作信号を電波信号として受信するアンテナ層３とからなるＩＣタグが固定配置されている。
【００２１】
前記インレット本体１の平面形状は、本発明においては、特に限定されるものではないが、例えば、図１（ｂ）に示すように長方形状、又は正方形状等の矩形状でもよいし、多角形状、円形状、長円形状、楕円形状などであってもよい。
【００２２】
前記ＩＣタグのＩＣチップ２に搭載するメモリ内には、電子データ、又はその電子データに紐付けされた電子データが格納されていて、前記インレット本体１には、図１（ｂ）に示すように、前記ＩＣチップ２のメモリ内に格納されているデータ、又はそのデータに紐付けされた電子データの全部又は一部を、該ＩＣタグ格納データのバックアップ用デー
タ又はＩＣタグ格納データの確認用可視データとしてレーザー印字可能な被印字領域６を備えている。
【００２３】
前記ＩＣタグ付インレットのインレット本体１は、図１（ａ）に示すように、該インレット本体１のＩＣタグを配置した裏面側に、粘着剤層４を介して剥離シート５が積層されている。
【００２４】
前記粘着剤層４は、単一層であってもいし、図１（ｂ）に示すように、第１粘着剤層と補強用基材層（紙、プラスチックフィルム等のシート）と、第２粘着剤層とを、この順に備え、前記第２粘着剤層を介して剥離シート（粘着剤層に剥離可能に仮貼着されたセパレータ）を積層したものでもよい。
【００２５】
図２は、本発明のＩＣタグ付インレットの各種積層例及びレーザー印字される印字部を示す積層断面図であり、図２（ａ）は、熱レーザー（ビーム光）による印字適性のある合成樹脂層（単層構成）であるインレット本体１と、該インレット本体１の裏面に配置したＩＣチップ２（マイクロＣＰＵ、メモリ等のＩＣ回路）及びアンテナ層３（アルミニウムパターン層）からなるＩＣタグとが配置され、該インレット本体１の印字適性のある合成樹脂層である被印字領域６内の印字部１ａ（丸印内）に、熱レーザーにより可視データが印字される。
【００２６】
図２（ｂ）は、図２（ａ）に示した前記ＩＣタグ付インレットのＩＣチップ２及びアンテナ層３からなるＩＣタグが配置されたインレット本体１の裏面側に、該ＩＣタグを保護するための保護層７（保護基材層）を積層したものであり、該インレット本体１の印字適性のある合成樹脂層である被印字領域６内の印字部１ａ（丸印内）に、熱レーザーにより可視データが印字される。
【００２７】
図２（ｃ）は、インレット本体１の表面にＩＣチップ２及びアンテナ層３からなるＩＣタグを配置した例であり、該インレット本体１の印字適性のある合成樹脂層である被印字領域６内の印字部１ａ（丸印内）に、熱レーザーにより可視データが印字される。
【００２８】
図２（ｄ）は、図２（ｃ）に示したＩＣタグ付インレットのＩＣチップ２及びアンテナ層３からなるＩＣタグが配置されたインレット本体１の表面側に、該ＩＣタグを保護するための保護層７（保護基材層）を積層したものであり、該インレット本体１の印字適性のある合成樹脂層である被印字領域６内の印字部１ａ（丸印内）に、熱レーザーにより可視データが印字される。
【００２９】
図３（ａ）は本発明のＩＣタグ付インレットのＩＣタグ格納データを可視データとしてレーザー印字するための印字領域を説明する平面図、（ｂ）はその印字領域に可視データをレーザー印字した状態を示す平面図であり、図３（ａ）に示すように、ＩＣチップ２及びアンテナ層３によるＩＣタグの配置部分を除外する被印字領域６内に、図３（ｂ）に示すように、そのＩＣタグ付インレットに付帯するＩＣチップ２のＩＣメモリ内に格納されている電子データ（全部又はその一部）を、外部読み出し（又は読み出し／書き込み）手段からの信号をアンテナ３にて受信して、固定情報８、ＩＣタグ内電子データに紐付けされたデータ９（数値、文字等）として読み出し、熱レーザー印字手段により印字するものである。
【００３０】
本発明のＩＣタグ付インレットに対するレーザーによる印字は、インレットが個片の各インレットを１単位として多単位のインレットが多面付けされた長尺状のインレットを、各個片のインレットとして個片化（１単位の個片にカッティング）する前において、長尺状のインレット基材にＩＣタグが多面付けされた状態（長尺状のインレットの状態）で行
っても良いし、あるいは、粘着剤層４を用いて台紙１１などに個々のインレット本体が取り付けられた状態にて行ってもよい。
【００３１】
図４は、本発明のＩＣタグ付インレットのＩＣタグに、タグ書き込み／読み出し手段を用いて書き込み格納された電子データの情報内容の一例を説明する情報内容の分岐表であり、各ＩＣタグのＩＣチップ２のＩＣメモリ内には、当該ＩＣタグ付インレットを添付（装着）する書籍に共通して付与する番号（例えば書籍名、ＩＳＢＮ等の書籍を識別する番号）と、書籍毎の固有番号（シリアルナンバー１、２、３、・・・）が、電子データとして書き込み収録されている。
【００３２】
図５は、本発明のＩＣタグ付インレットを装着した書籍の一実施例を説明する平面図であり、その書籍タイトル１４ａや、文章、説明文、挿絵等の所定の掲載内容１４を備える書籍本体の表紙や裏表紙の表面１１又は内面、背表紙の表面１１、見返し頁面等の頁面１１（又は当該書籍本体面に貼着する台紙面）には、本発明のＩＣタグ付インレットＡが、剥離可能に仮貼着されている剥離シート５を剥離した粘着剤層４により貼着されて、書籍本体１１に装着されている。
【００３３】
本発明のＩＣタグ付きインレットＡを台紙に貼り付け、これを書籍に挿入して用いる場合、書籍の固有情報は個々のインレットに対応してレーザー印字し、台紙には予め、書籍に依らない個々のインレットに共通する共通情報のみを印字（通常のオフセット方式、グラビア方式等の多数複製方式にて印刷）すれば、台紙を印刷により安価に製造することができる。
【００３４】
本発明のＩＣタグ付インレットのインレット本体１は、紙製、あるいは熱可塑性、熱硬化性の合成樹脂製シート、あるいはそれらの積層シートであって、この紙製や合成樹脂製のシート印字体からなるインレット本体１の被印字領域６面に、ＹＡＧレーザー、炭酸ガスレーザー等の熱レーザービームを備えたレーザーサーマルを用いて、被印字領域６のシート印字体表面を、熱レーザービームをＸ−Ｙ方向に走査させ、レーザービームの照射された印字体表面を焼結・焦結による炭化（黒化）させて、あるいは合成樹脂製シートであれば溶融化（粗面化、光拡散化）させて、その変色（黒化、白化）により印字を行うものである。
【００３５】
インレット本体１として使用するシート印字体が紙製シートの場合は、その材質を特に限定するものではないが、使用するシート印字体が熱可塑性や熱硬化性の合成樹脂製シートの場合には、熱可塑性の合成樹脂製シート、例えばポリエチレンテレフタレートが適当である。
【符号の説明】
【００３６】
Ａ…ＩＣタグ付きインレット
１…インレット本体
２…ＩＣチップ
３…アンテナ層
４…粘着剤層
５…剥離シート
６…被印字領域
１１…書籍本体面（又は書籍本体に貼着する台紙面）
１２…シリアルナンバー
１３…バーコード
１４…書籍タイトル
【図１】
2012113402.tif 000003
【図２】
2012113402.tif 000004
【図３】
2012113402.tif 000005
【図４】
2012113402.tif 000006
【図５】
2012113402.tif 000007
【図６】
2012113402.tif 000008